(57)【要約】【課題】極低温冷却機用の回転弁であって、摩耗性が低く、これによって製作および組立てが簡単な回転弁を提供する。【解決手段】  本発明は、極低温冷却機用の回転弁（１）、特にパルス管冷却機またはギフォード−マクマホン冷却機用の回転弁（１）であって、モータによって回転軸（ＤＡ）を中心に回転させることができる回転体（６）と、制御板（５）と、制御板（５）に沿って回転体（６）が転がることを可能にする軸転がり軸受とを備える回転弁（１）において、この軸ころ軸受が、半径方向（ＲＲ）にセンタリングしない軸受として設計されている（１９ａ〜１９ｃ）ことを特徴とする。【選択図】図１
2013519059.tif 000002
【特許請求の範囲】
【請求項１】
極低温冷却機用の回転弁（１）、特にパルス管冷却機またはギフォード−マクマホン冷却機用の回転弁（１）であって、
モータによって回転軸（ＤＡ）を中心に回転させることができる回転体（６）と、
制御板（５）と、
前記制御板（５）に沿って前記回転体（６）が転がることを可能にする軸転がり軸受と
を備える回転弁（１）において、
前記軸転がり軸受が、半径方向（ＲＲ）にセンタリングしない軸受（１９ａ、１９ｃ）として設計されている
ことを特徴とする回転弁（１）。
【請求項２】
前記軸転がり軸受が、円筒ころ軸受（１９ｂ、１９ｃ）として設計されていることを特徴とする請求項１記載の回転弁（１）。
【請求項３】
前記円筒ころ軸受（１９ｂ、１９ｃ）が針軸受（１９ｃ）として設計されていることを特徴とする請求項２記載の回転弁（１）。
【請求項４】
前記制御板（５）内の作動ガス用の凹部（１５ａ、１７）の全体が、前記回転体（６）内の作動ガス用の連通凹部（１６、１８）内において半径方向（ＲＲ）に広がっているか、またはその逆であることを特徴とする請求項１乃至３のいずれか１項に記載の回転弁（１）。
【請求項５】
ばね（４）によって前記回転体（６）が前記制御板（５）に押し付けられていることを特徴とする請求項１乃至４のいずれか１項に記載の回転弁（１）。
【請求項６】
前記回転体（６）が、プラスチック材料から特に射出成形によって製作されたものであることを特徴とする請求項１乃至５のいずれか１項に記載の回転弁（１）。
【請求項７】
前記軸転がり軸受の前記制御板（５）上および前記回転体（６）上の軸受面（２０ａ、２１ａ）が、前記制御板（５）と前記回転体（６）の間の１つまたは複数の密閉面（５ａ、６ａ）から離れていることを特徴とする請求項１乃至６のいずれか１項に記載の回転弁（１）。
【発明の詳細な説明】
【技術分野】
【０００１】
本発明は、極低温冷却機用の回転弁、特にパルス管冷却機またはギフォード−マクマホン冷却機用の回転弁であって、
−  モータによって回転軸を中心に回転させることができる回転体と、
−  制御板と、
−  前記制御板に沿って前記回転体が転がることを可能にする軸転がり軸受と
を備える回転弁に関する。
【背景技術】
【０００２】
このタイプの回転弁は例えば特許文献１に開示されている。
【０００３】
例えば超電導コイル磁石など、極低温で動作させなければならない技術システムは数多い。低温を生み出す１つの原理は作動ガスの膨張に基づく。パルス管冷却機およびギフォード−マクマホン冷却機の場合には、高い作動ガス圧と低い作動ガス圧をコールドヘッドに交互に加える。そうするために、実際には、圧縮機の吸込み側と高圧側をコールドヘッドに交互に接続する。この接続には通常、回転弁が使用される。
【０００４】
この回転弁は、通常は電動モータによって駆動される回転体と、制御板とを備える。制御板に対して回転体が回転すると、作動ガス用のさまざまな流路が交互に開閉し、これによって所望の高い圧力及び低い圧力がコールドヘッドに交互に加わる。
【０００５】
回転弁の動作中には、回転体の１つまたはいくつかの表面が、制御板の１つまたは複数の表面に沿って滑動する。これらの表面は接触領域において作動ガスを密閉する。この滑動によって材料の摩耗が生じることがあり、最終的にはこの摩耗により回転体および／または制御板の交換が必要となる。
【０００６】
特許文献１では、回転体および制御板がそれぞれ円周方向の溝を備え、これらの溝間に玉ケージが保持される。この玉軸受により摩耗が低減する。
【０００７】
この先行技術は、この玉軸受の製作費および組立費が高くなるため不利である。この溝は、互いに対して正確に同心に配置しなければならない。そうしないと、玉ケージの玉が少なくとも一方の溝から外れ、回転体および制御板の表面が互いに対して傾き、これによって作動ガスが漏れ、軸受の摩耗が増大するためである。そのために、実際には、密閉要件によって事前に決まる製作公差を満たすことができるように、回転弁の大部分の構成要素、特に回転体を金属から製作し、フライス削りによって加工しなければならない。
【先行技術文献】
【特許文献】
【０００８】
【特許文献１】米国特許出願公開第２００８／０２４５０７７号明細書
【発明の概要】
【発明が解決しようとする課題】
【０００９】
本発明の根底にある目的は、極低温冷却機用の回転弁であって、ほとんど摩耗せず、同時に製作および取付けが容易な回転弁を提供することである。
【課題を解決するための手段】
【００１０】
この目的は、軸転がり軸受が、半径方向にセンタリングしない軸受（以後、非センタリング軸受という）として設計されていることを特徴とする上記のタイプの回転弁によって、驚くほど簡単だが効果的な方式で達成される。
【００１１】
本発明の非センタリング軸受では、この軸受けによって、回転体と制御板（制御円板）は、ある領域内において、半径方向に（すなわち回転体の回転軸に垂直な平面内で）互いに対して自由に滑動することができる。この場合、回転体および制御板が、取り付けられた状態において、製作中および／または組立て中の公差または誤差によって、回転体の回転軸に対する正確な同心配置からわずかに外れるかどうかは問題とはならない。この相互滑り面に対する密閉効果は維持される。そのため、本発明の範囲に含まれる回転弁に関して、簡単に製作できる構成要素、すなわち安価な射出成形技術を使用してプラスチック材料から製作された、比較的に大きな製作公差を有する回転体を使用することができる。
【００１２】
非センタリング軸受を組み立てるためには通常は、回転体上および制御板上に、互いに向かい合うように配置された互いに平行な平らな軸受面を形成し、これらの軸受面間に、転がり体（例えば玉または好ましくは円筒）を、例えばケージ内に保持するといった方法で配置する。これらの平らな軸受面は、（回転体の回転軸に垂直な）半径方向のセンタリングを防ぐ。これらの軸受面は通常は、例えば回転体に取り付けられた軸受円板上および制御板に取り付けられた軸受円板上に円形に形成される。これらの軸受面は、回転体の回転軸に対して垂直に配置することに留意すべきである。
【００１３】
制御板および回転体には凹部（フライス削りされた部分、開口、溝）が形成されている。回転体が回転している間に凹部の重なりが変化し、これによって高い作動ガス圧（例えばヘリウム）と低い作動ガス圧（例えばヘリウム）がコールドヘッド（例えばパルス管）に交互に接続される。凹部の設計が適当であるとき、回転体および制御板の半径方向の遊びは、回転弁の切換え動作に影響を及ぼさない（下記参照）。
【００１４】
回転体は通常は電動モータによって駆動される。転がり軸受は特に玉軸受または円筒ころ軸受とすることができる。
【００１５】
本発明の好ましい実施形態
本発明の回転弁の好ましい一実施形態では、軸転がり軸受が円筒ころ軸受として設計される。（円）筒ころは、大きな荷重を支持するのに適しており、長期間応力が加えられた後であっても軸受面は平らであり続けるので、耐摩耗性の低い材料から軸受面ができているときであっても、使用中は軸受の非センタリング特性が維持される。円筒ころはさらに比較的に平らな設計を可能にする。この実施形態では通常、円筒の軸が軸受面と平行であり、回転体の回転軸の方を向いている。言い換えると、円筒軸は、回転体の回転軸に対して（ほぼ）垂直である。
【００１６】
この実施形態の他の好ましい１つの発展形態では、円筒ころ軸受が針軸受として設計される。針軸受は特に平らな構造を有する。
【００１７】
特に有利な実施形態では、制御板内の作動ガス用の凹部の全体が、回転体内の作動ガス用の連通凹部内において半径方向に広がっているか、またはその逆である。この逆のケースでは、回転体内の作動ガス用の凹部の全体が、制御板内の作動ガス用の１つの連通凹部内において半径方向に伸びている。この配置においては、例えば製作公差による半径方向に対するわずかなセンタリングのずれが、作動ガスの流れに影響を及ぼすことはない。これらの凹部の半径方向の縁間隔は通常は、予想される半径方向の遊びよりもかなり大きい。この遊びは通常は最大０．２ｍｍ以下の範囲にある。
【００１８】
他の好ましい実施形態では、ばねが回転体を制御板に押し付ける。このばねは、作動ガスの圧力が加わっていないときであっても、自己保持しない軸受を保持する。これによって回転体は通常は、軸方向に移動することができるような態様で、電動モータのシャフト上に着座する。
【００１９】
特に好ましい実施形態では、回転体が、プラスチック材料から特に射出成形によって製作される。これによって本発明の回転弁の製作費はかなり低減する。
【００２０】
他の好ましい実施形態では、軸転がり軸受の制御板上および回転体上の軸受面が、制御板と回転体の間の１つまたは複数の密閉面から離れている。この場合、軸受に生じうる摩耗が、密閉の動作に影響を及ぼすことはない。
【００２１】
本発明の他の利点は、本明細書の説明および添付図面から引き出すことができる。上記および下記の特徴は、本発明に従って、個別に使用することができ、または任意の組合せでまとめて使用することができる。図示された実施形態および記載された実施形態は、網羅的な列挙であると理解すべきではなく、しかし本発明を記述する例示的な特徴を有すると理解すべきである。
【００２２】
本発明は図面に示されており、実施形態に関してより詳細に説明される。
【図面の簡単な説明】
【００２３】
【図１】軸方向断面として示される本発明の回転弁を備えるパルス管冷却機を含む冷却システムの略図である。
【図２】モータを備え、玉軸受を有する本発明の回転弁の軸方向断面図である。
【図３】モータを備え、円筒ころ軸受を有する本発明の回転弁の軸方向断面図である。
【図４】モータを備え、針軸受を有する本発明の回転弁の軸方向断面図である。
【図５】図３の線Ｖの高さで切った図３の回転弁の半径方向断面図である。
【発明を実施するための形態】
【００２４】
図１は、本発明の範囲内で使用することができる冷却システムの概要を示す。
【００２５】
この冷却システムは、回転体６と制御板（制御円板）５とを有する本発明の回転弁１を備える。回転体６は、電動モータ２によって制御板５に対して回転させることができる。これによって回転体６は回転軸ＤＡを中心に回転する。回転体６は、電動モータ２のシャフト３上に保持されているので、一緒に回転することはできないが、シャフト３上を軸方向に（回転体の回転軸ＤＡに平行に）自由に滑動することができる。作動ガスの圧力がない場合であっても、ばね４により回転体６は制御板５に押し付けられる。
【００２６】
圧縮機７を使用して、コールドヘッド８またはコールドヘッド８の作動ガス入口９に、高圧側ＨＳと吸込み側ＳＳが交互に接続される。この場合、コールドヘッド８はパルス管冷却機として設計されており、このパルス管冷却機は、パルス管１０と、蓄冷管１１と、冷熱交換領域１２（熱の流れＱを参照されたい）と、外部空気によって冷却される温熱交換領域１３と、バッファ容積１４とを備える。
【００２７】
回転体６および制御板５は、作動ガス（この場合にはヘリウム）の流れまたは圧力を制御するさまざまな凹部（フライス削りされた部分、開口、溝）を有する。吸込み側ＳＳ（低圧側とも呼ばれる）は溝１５を介して制御板５の中心穴１５ａに接続されている。高圧側ＨＳは、作動ガスの圧力により、（ばね４に加えて）回転体６が制御板５に押し付けられるだけでなく、回転体６の側方へ開いた凹部１６に作動ガスを高い圧力で入れることができ、且つ中心から外れた２つの溝１７を介してコールドヘッド８の入口９まで作動ガスを到達させることができるような態様で、回転体６の周囲に接続されている（簡単にするために、図１には、特に回転体６の側面の空間を密閉するための回転弁１用の圧力ハウジングが示されていないことに留意すべきである）。軸ＤＡを中心に回転体を９０°回転させることにより、回転体の中心の凹部１８を使用して、吸込み側ＳＳを溝１７に接続することができる（図５）。
【００２８】
回転体６は、制御板５の２つの領域で支持されている。作動ガスを密閉する、制御板５の複数の表面５ａと回転体６の複数の表面６ａとが互いに当接する。それぞれの表面は回転軸ＤＡに対して垂直に延びている。さらに非センタリング軸受１９ａが配置されている。
【００２９】
制御板５および回転体６にはそれぞれ、耐摩耗性の材料、例えば硬化金属またはＳｉＣなどのセラミック材料からなる環状軸受円板２０、２１が取り付けられている。これらの軸受円板の平行で平らな表面２０ａ、２１ａは互いに向かい合っている。これらの表面２０ａ、２１ａ間に、玉２２を複数個有するケージが配置されている。表面２０ａ、２１ａは、（先行技術の従来の玉軸受と異なり）溝を持たず、半径方向ＲＲに関して平らにかつ平行に延びているため、回転体６には、表面５ａ、６ａ上の密閉効果を損なわない程度に、半径方向に一定の遊びが設けられる。特に、回転体６と制御板５が半径方向ＲＲに互いに対してわずかにずれたときに、回転体６と制御板５は互いに対して傾かない。さらに、凹部／溝１５ａ、１６、１７、１８の重なりも損なわれない（この点に関しては図５も参照されたい）。
【００３０】
これにより、この非センタリング軸受では、回転体と制御板の半径方向の相対的な配置についてより大きな公差を設定することができる。特に、回転体の製作法および取付け法を容易にすることができ、費用を減らすことができる。このケースでは、射出成形法を使用してプラスチック材料（例えばポリエチレン）から回転体６を製作した。
【００３１】
回転弁１を組み立てた後、最初は通常、（軸受１９ａを介さずに）回転体６の密閉面６ａだけが制御板５と当接する。しかしながら、ばね４の作用および、必要に応じた作動ガス圧の作用の下での摩耗のため、この突起部はすぐに低くなり、ついには軸受１９ａも回転体６を保持する。この現象は特に、密閉面６ａにプラスチック材料が使用されている場合すぐに生じる。次いで回転体６が完全に適合し、軸受１９ａが密閉面６ａのさらなる摩耗を防ぐ。
【００３２】
図２、３および４はそれぞれ、回転弁１の軸受の実行可能なさまざまな設計をより詳細に示す。以下では、図１に対する相違点だけを説明する。
【００３３】
図２は、非センタリング玉軸受１９ａを有する図１の回転弁を示しているが、この図は、回転体６の回転軸ＤＡを中心に９０°回転させた垂直断面における図である。この図には、溝１５および凹部１８の対応するそれぞれの縦断面図が示されている。（溝１５に接続されている）吸込み側ＳＳはコールドヘッドの入口に接続されておらず、これは図１にも示されている。ウェブ２３が、回転体６の外側の領域（高い作動ガス圧が常に加えられており、玉２２が位置する領域）を凹部１８から密閉している。玉２２は、半径方向ＲＲに沿って平らな軸受面２０ａ、２１ａ上を移動することに留意すべきである。
【００３４】
図３の非センタリング軸受１９ｂは、軸受円板２０、２１の向い合せに配置された平らで平行な表面２０ａ、２１ａに沿って転がる円筒ころ２４を有する。円筒軸ＺＡは、回転体６の回転軸ＤＡの方を向いており、回転軸ＤＡに対して垂直に延びている。軸受ディスク２０、２１が耐摩耗性の低い材料から作られている場合、軸受面２０ａ、２１ａは使用中に平らに摩耗して、溝の形成を防ぐ。
【００３５】
図４は、直径が特に小さい円筒ころ２５を有するように設計された非センタリング軸受１９ｃを示す。この場合、軸受１９ｃは「針軸受」とも呼ばれる。針軸受１９ｃを使用すると、回転弁１の軸方向の高さＢＨが低くなる。
【００３６】
図５は、線Ｖで切った図３の軸受１９ｂの断面を示しているが、回転体６の位置は９０°回転されている（実線）。この図にはさらに図３の位置にある回転体６も示されている（点線）。
【００３７】
この断面図は（円）筒ころ２４を示しており、（円）筒ころ２４によって回転体６と制御板５は軸受１９ｂ内で互いに沿って転がる。
【００３８】
実線によって示された位置では、回転体６の中心の凹部１８が、制御板５の下面で終わる溝１７を、圧縮機の吸込み側に接続された中心の穴１５ａに接続する。
【００３９】
点線によって示された回転体６と制御板５の相対的な配置では、溝１７が、回転体６の側方へ開いた凹部１６を介して圧縮機の高圧側に接続される（図１も参照されたい）。
【００４０】
溝１７の開口の半径方向の外延に関して、溝１７の開口は中心の凹部１８の範囲内に完全に位置しており、側方へ開いた凹部１６の範囲内にも完全に位置している。中心の凹部１５ａの半径方向の外延も中心の凹部１８の範囲内に完全に収まっている。図５は、回転体６と制御板５の正確に同心の配置を示しており、この配置では、連通している全ての凹部（フライス削りされた部分、開口、溝）の縁は半径方向にそれぞれＡＢ１、ＡＢ２、ＡＢ３、ＡＢ４とかなり離隔している。本発明によれば、回転体６と制御板５の半径方向の不整合に関して予想される製作および取付けの最大公差が、同心の配置における最も小さな縁間隔、この場合には中心の凹部１５ａと中心の凹部１８との縁間隔ＡＢ１、よりも小さくなるので、この最も小さな縁間隔ＡＢ１が十分に大きくなる。その場合、作動ガスの流れまたは圧力の分布はこの半径方向の不整合によって損なわれない。
【図１】
2013519059.tif 000003
【図２】
2013519059.tif 000004
【図３】
2013519059.tif 000005
【図４】
2013519059.tif 000006
【図５】
2013519059.tif 000007
【国際調査報告】
2013519059.tif 000008
2013519059.tif 000009
2013519059.tif 000010
2013519059.tif 000011